(57)【要約】      （修正有）【課題】網を十分に張って筐体に確りと固定した筐体と網椅子組合せ構造を提供する。【解決手段】網を固定するための連接ピンが設けられている筐体に網が組み付けられており、前記筐体と網を一体にするために、これらに覆い層が射出成形されており、前記筐体には、網を張って前記筐体に組付けるときに網の周縁にある目を係止ための連接ピンが設けられており、前記筐体は、更に、前記連接ピンの近傍に収容空間が設けられており、前記網の周縁は巻かれて前記収容空間に入れることができ、そして前記収容空間に入れられた前記網の周縁を押えて係止するための押え条が設けられている。【選択図】図１
0003144250.tif 000002
【実用新案登録請求の範囲】
【請求項１】
網を固定するための連接ピンが設けられていることを特徴とする、
筐体。
【請求項２】
筐体に網が組み付けられており、前記筐体と網を一体にするために、これらに覆い層が射出成形されている、筐体と網椅子の組合せ構造であって、
前記筐体には、網を張って前記筐体に組付けるときに網の周縁にある目を係止ための連接ピンが設けられていることを特徴とする、
網椅子組合せ構造。
【請求項３】
前記筐体は、更に、前記連接ピンの近傍に収容空間が設けられており、前記網の周縁は巻かれて前記収容空間に入れることができ、そして前記収容空間に入れられた前記網の周縁を押えて係止するための押え条が設けられていることを特徴とする、請求項２に記載の網椅子組合せ構造。
【考案の詳細な説明】
【技術分野】
【０００１】
本考案は、筐体と網椅子組合せ構造に関し、特に、網を十分に張って筐体に確りと固定することができる筐体と網椅子組合せ構造に関するものである。
【背景技術】
【０００２】
従来、人間工学に合い高空気透過性を有する網椅子が市販している。しかしながら、網を十分に張って確りと筐体に固定することができない欠点があった。
【考案の開示】
【考案が解決しようとする課題】
【０００３】
本考案の主な目的は、網を十分に張って筐体に確りと固定することができる筐体と網椅子組合せ構造を提供することにある。
【課題を解決するための手段】
【０００４】
本考案の請求項１に記載の筐体によると、網を固定するための連接ピンが設けられていることを特徴とする筐体である。
【０００５】
本考案の請求項２に記載の網椅子組合せ構造によると、筐体に網が組み付けられており、前記筐体と網を一体にするために、これらに覆い層が射出成形されている、筐体と網椅子の組合せ構造であって、前記筐体には、網を張って前記筐体に組付けるときに網の周縁にある目を係止ための連接ピンが設けられている網椅子組合せ構造である。
本考案の請求項３に記載の網椅子組合せ構造によると、前記筐体は、更に、前記連接ピンの近傍に収容空間が設けられており、前記網の周縁は巻かれて前記収容空間に入れることができ、そして前記収容空間に入れられた前記網の周縁を押えて係止するための押え条が設けられている。
【考案の効果】
【０００６】
本考案の筐体と網椅子組合せ構造によれば、網を十分に張って筐体に確りと固定することができるという効果がある。
【考案を実施するための最良の形態】
【０００７】
以下、本考案の実施の形態を図面に基づいて説明する。
まず、図１及び図２を参照する。本考案に係る筐体と網椅子組合せ構造は、筐体１に網２を組付けて覆い層３を射出成形すると、筐体１と網２が覆い層３に覆われて一体になる。
筐体１は、中央に透かし部１１が形成されており、透かし部１１には筐体１と連接している支持条１２が設けられており、支持条１２と筐体１の前面に凹み部１３を形成するために、支持条１２が筐体１の後面に凹んでおり、また、筐体１の後面には複数の連接ピン１４が環設されており、連接ピン１４がややテーパを呈し、連接ピン１４の近傍には収容空間１５が設けられている。
【０００８】
次に、図１及び図２を参照しながら本考案の組付方法を説明する。まず、網２によって筐体１を覆って、網２を筐体１の前側から後側へ引いて、網２の周縁にある目を連接ピン１４に係止し、連接ピン１４がテーパを呈するので、網２の周縁にある目は連接ピン１４に容易に係止することができ、その後、図３に示すように、網２の周縁を巻いて連接ピン１４の近傍に形成された収容空間１５に入れて、網２及び筐体１を覆って一体にする覆い層３を射出成形すると、これらが一体になり、網２を十分に張って筐体１に確りと固定することができ、網２が充分な弾性を有するので、ユーザが網２に寄っているときには、極めて快適である。
また、本考案は、図４及び図５に示すように、更に、網２の周縁を巻いて収容空間１５に入れた後、収容空間１５に押え条４を押入れ、そうすると、網２の周縁が収容空間１５内に確実に係止され、覆い層３を射出成形しているときに網２の周縁が収容空間１５から突出することを回避でき、製品の不良率を降下することができ、更に、押え条４に穴４１を開設してもよく、そうすると、覆い層３は押え条４の穴４１に応じてピン３１が形成され、覆い層３と押え条４の結合が更に強固になり、そして押え条４の穴４１に流入する覆い層３は、押え条４に押えられる網２と確りと結合する。
【０００９】
また、図６に示すように、本考案は、網椅子の座当５、背当６及び枕７に適用することができ、そうすると、網椅子全体の成形が便利になり、網椅子全体の弾性が良くなり、座り心地が更に良くなる。
また、図７に示すように、本考案の実施例２に係る筐体と網椅子組合せ構造は、連接ピン１４を筐体１の前側に設けてもよく、そうすると、筐体１に網２を組み付けようとする場合には、網２によって筐体１の前側を直接に覆うだけで、連接ピン１４に網２を係止することができ、これにより、網２が筐体１に固定されるようになる。
【００１０】
また、図８に示すように、本考案の実施例３に係る筐体と網椅子組合せ構造は、筐体１の周縁に連接ピン１４を設けてもよく、そうすると、筐体１に網２を組み付けようとする場合には、網２の周縁を筐体１の左右側辺に引くだけで、連接ピン１４に網２を係止することができ、これにより、網２が筐体１に固定されるようになる。
また、図９に示すように、本考案の実施例４に係る筐体と網椅子組合せ構造は、連接ピン１４が単独に成形され、且つ連接ピン１４の底部にプラグ１４１が連接されており、筐体１に連接溝１６が設けられており、連接ピン１４に設けられたプラグ１４１が連接溝１６に押し入れられ、そうすると、網２を張って筐体１に覆うと、連接ピン１４に網２の周縁を係止することができ、これにより、網２が筐体１に固定されるようになる。
【００１１】
また、プラグ１４１は、筐体１の四つのコナーに設けられたブロックであってもよく、そうすると、網２を張って筐体１に覆うと、筐体１の四つのコナーに設けられた連接ピン１４に網２を係止することができ、これにより、網２が筐体１に固定されるようになる。
【図面の簡単な説明】
【００１２】
【図１】本考案の分解斜視図である。
【図２】本考案の一部の拡大斜視図である。
【図３】本考案の一部の拡大断面図である。
【図４】本考案の実施例１の一部の拡大斜視図である。
【図５】本考案の実施例１の一部の拡大断面図である。
【図６】本考案の全体の断面図である。
【図７】本考案の実施例２の一部の拡大断面図である。
【図８】本考案の実施例３の一部の拡大断面図である。
【図９】本考案の実施例４の一部の拡大断面図である。
【符号の説明】
【００１３】
１：筐体、２：網、３：覆い層、４：押え条、５：座当、６：背当、７：枕、１１：透かし部、１２：支持条、１３：凹み部、１４：連接ピン、１５：収容空間、１６：連接溝、３１：ピン、４１：穴、１４１：プラグ
【図１】
0003144250.tif 000003
【図２】
0003144250.tif 000004
【図３】
0003144250.tif 000005
【図４】
0003144250.tif 000006
【図５】
0003144250.tif 000007
【図６】
0003144250.tif 000008
【図７】
0003144250.tif 000009
【図８】
0003144250.tif 000010
【図９】
0003144250.tif 000011